(57)【要約】【課題】  監視対象となる電気機器への配線を容易に行うことができ、さらには電気機器の設置場所の変更、追加も簡単に行うことができて、施工性、柔軟性、拡張性に優れており、電気機器の作動状態が簡単に監視できる電気機器監視システムを提供する。【解決手段】  先行配線された電力線Ｌ１、情報線Ｌ２に接続された複数のゲート装置３と、各ゲート装置３を介して電力を供給されるとともに情報信号の授受を行う機能モジュール８とを備え、監視モジュール８ａは、ゲート装置３を介して確認信号を送信するとともに、ゲート装置３を介して受信した情報を表示し、他の機能モジュール８は、自己の作動状態または自己に関連付けられた機器の作動状態を検知して、確認信号を受信した場合は、作動検知手段の検知結果をゲート装置３を介して監視モジュール８ａへ送信し、監視モジュール８ａは、受信した前記作動状態の検知結果を表示手段に表示する。【選択図】図１
2007265047.tif 000002
【特許請求の範囲】
【請求項１】
造営面に埋め込み配設され、造営面の裏側に先行配線されて電力、情報信号を伝送する電線に接続された複数のゲート装置と、各ゲート装置を介して電力を供給されるとともに情報信号の授受を行う機能モジュールとを備え、
機能モジュールのうち少なくとも１つは、ゲート装置を介して他の機能モジュールへ確認信号を送信する確認信号送信手段と、他の機能モジュールからゲート装置を介して受信した情報を表示する表示手段とを備える監視モジュールであり、
前記他の機能モジュールは、自己の作動状態または自己に関連付けられた機器の作動状態を検知する作動検知手段と、監視モジュールからの確認信号を受信した場合、作動検知手段の検知結果をゲート装置を介して監視モジュールへ送信する作動状態送信手段とを備え、
監視モジュールは、受信した前記作動状態の検知結果を表示手段に表示する
ことを特徴とする電気機器監視システム。
【請求項２】
前記監視モジュールの確認信号送信手段は、全ての機能モジュールに確認信号を送信する一斉点検機能を有することを特徴とする請求項１記載の電気機器監視システム。
【請求項３】
前記監視モジュールは、各ゲート装置に接続された機能モジュールの配置図を格納した配置図記憶手段を備え、前記表示手段は、前記作動状態の検知結果を配置図記憶手段から読み出した配置図に表示することを特徴とする請求項１または２記載の電気機器監視システム。
【請求項４】
前記機能モジュールは、自己の機能モジュール情報を記憶したモジュール情報記憶手段と、モジュール情報を送信する情報送信手段とを備え、
ゲート装置は、自己の装置情報を記憶した装置情報記憶手段と、機能モジュールから送信されたモジュール情報に装置情報を付加して前記ゲート装置を介して監視モジュールへ送信する情報送信手段とを備え、
監視モジュールは、送信されたモジュール情報および装置情報に基づいて、前記配置図記憶手段から読み出した配置図に、各ゲート装置に接続されている機能モジュールを表示する接続検知手段を備えることを特徴とする請求項３記載の電気機器監視システム。
【発明の詳細な説明】
【技術分野】
【０００１】
本発明は、電気機器監視システムに関するものである。
【背景技術】
【０００２】
従来、照明器具、空調機器あるいは種々のセキュリティ機器などの住宅設備、ビル設備の監視を行う電気機器監視システムとして、特許文献１に記載されているようなものが提供されている。かかる従来システムは、インターホン機能を有する親機を中心として、エアコンや照明器具あるいは種々のセキュリティ機器などの電気機器の監視を行うものであり、監視の対象となる全ての電気機器が有線あるいは無線で親機に接続されている（特許文献１）。
【特許文献１】特開２００４−２９５４０８公報
【発明の開示】
【発明が解決しようとする課題】
【０００３】
ところで、従来の電気機器監視システムでは、電力線とは別に情報線を引き回して各電気機器に接続する必要があり、施工が面倒であったが、予め電気機器の設置場所が決められて固定されているので、新設時に施工すれば後に設置場所を移動させることもなく、最初の１回の配線作業で済むため、面倒な作業であっても許容されていた。また、上記情報線とは別に引き回されている電力線はコンセント等に接続されており、電気機器はコンセント等に接続して電力を供給されていた。
【０００４】
このような従来の電気機器監視システムでは、施工完了後に各電気機器の設置場所を移動させる場合や、新たな電気機器を設置する場合に、その設置場所に応じて情報線や電力線の引き回しを変更、追加しなければならず、新設時よりもさらに面倒な配線作業となり、施工性、柔軟性、拡張性に問題があった。また、情報線と電力線とが別々に引き回されているために、施工性はさらに悪化していた。
【０００５】
本発明は、上記事由に鑑みてなされたものであり、その目的は、監視対象となる電気機器への配線を容易に行うことができ、さらには電気機器の設置場所の変更、追加も簡単に行うことができて、施工性、柔軟性、拡張性に優れており、電気機器の作動状態が簡単に監視できる電気機器監視システムを提供することにある。
【課題を解決するための手段】
【０００６】
請求項１の発明は、造営面に埋め込み配設され、造営面の裏側に先行配線されて電力、情報信号を伝送する電線に接続された複数のゲート装置と、各ゲート装置を介して電力を供給されるとともに情報信号の授受を行う機能モジュールとを備え、機能モジュールのうち少なくとも１つは、ゲート装置を介して他の機能モジュールへ確認信号を送信する確認信号送信手段と、他の機能モジュールからゲート装置を介して受信した情報を表示する表示手段とを備える監視モジュールであり、前記他の機能モジュールは、自己の作動状態または自己に関連付けられた機器の作動状態を検知する作動検知手段と、監視モジュールからの確認信号を受信した場合、作動検知手段の検知結果をゲート装置を介して監視モジュールへ送信する作動状態送信手段とを備え、監視モジュールは、受信した前記作動状態の検知結果を表示手段に表示することを特徴とする。
【０００７】
この発明によれば、機能モジュールおよび機能モジュールに関連付けられている機器が監視対象の電気機器を構成し、この電気機器をゲート装置に接続するだけで、面倒な配線作業を行うことなく電気機器の電力路と情報路とを容易に確保して、電気機器の作動状態が簡単に監視できるので、施工性に優れたものとなる。また、宅内に先行配線されている電力路、情報路に接続したゲート装置を複数配置しており、電気機器の設置場所の移動、追加時には、いずれかのゲート装置に電気機器を接続するだけでよく、システムの柔軟性、拡張性にも優れている。また、建物内の至るところに存在するゲート装置を利用することで、先行配線された情報線や電力線を介して、ゲート装置に接続されたあらゆる電気機器の作動状態を取得することができ、全ての電気機器の作動状態が簡単に監視できる。
【０００８】
請求項２の発明は、請求項１において、前記監視モジュールの確認信号送信手段は、全ての機能モジュールに確認信号を送信する一斉点検機能を有することを特徴とする。
【０００９】
この発明によれば、監視対象となる全ての電気機器の最新の監視結果が確認できる。
【００１０】
請求項３の発明は、請求項１または２において、前記監視モジュールは、各ゲート装置に接続された機能モジュールの配置図を格納した配置図記憶手段を備え、前記表示手段は、前記作動状態の検知結果を配置図記憶手段から読み出した配置図に表示することを特徴とする。
【００１１】
この発明によれば、監視結果を容易に把握できる。
【００１２】
請求項４の発明は、請求項３において、前記機能モジュールは、自己の機能モジュール情報を記憶したモジュール情報記憶手段と、モジュール情報を送信する情報送信手段とを備え、ゲート装置は、自己の装置情報を記憶した装置情報記憶手段と、機能モジュールから送信されたモジュール情報に装置情報を付加して前記ゲート装置を介して監視モジュールへ送信する情報送信手段とを備え、監視モジュールは、送信されたモジュール情報および装置情報に基づいて、前記配置図記憶手段から読み出した配置図に、各ゲート装置に接続されている機能モジュールを表示する接続検知手段を備えることを特徴とする。
【００１３】
この発明によれば、新しい電気機器を接続した場合でも、自動で配置図に反映されるので、ユーザにとっては使い勝手がよいものとなる。
【発明の効果】
【００１４】
以上説明したように、本発明では、監視対象となる電気機器への配線を容易に行うことができ、さらには電気機器の設置場所の変更、追加も簡単に行うことができて、優れた施工性、柔軟性、拡張性を得ることができるという効果がある。また、建物内の至るところに存在するゲート装置を利用することで、先行配線された情報線や電力線を介して、ゲート装置に接続されたあらゆる電気機器の作動状態を取得することができ、全ての電気機器の作動状態が簡単に監視できる。
【発明を実施するための最良の形態】
【００１５】
以下、本発明の実施の形態を図面に基づいて説明する。
【００１６】
（実施形態）
本実施形態の電気機器監視システムが適用される配線システムは、図１に示すように住宅やビル等の建物内の適所において埋め込み配設している１乃至複数のスイッチボックス２を設け、各スイッチボックス２間に壁面内に先行配線した電力線Ｌ１と、情報線Ｌ２とを送り配線するとともに、始端のスイッチボックス２に対しては、配線盤１内の主幹ブレーカＭＢと分岐ブレーカＢＢとを介して屋内に引き込まれた電力線Ｌ１を導入し、また外部のインターネット網ＮＴにゲートウェイＧＷ（ルータ、ハブ内蔵）を介して接続されている情報線Ｌ２を導入してある。ここでスイッチボックス２には室内の天井面のようなハイポジションＨＰに設けられるものと、壁スイッチ等で推奨される高さ位置の壁面のようなミドルポジションＭＰに設けられるものと、足元付近の壁面や床面のようなローポジションＬＰに設けられるものとに区分される。
【００１７】
これらのスイッチボックス２は、例えばＪＩＳで規格化された大角形の１個モジュール寸法の埋め込み型の配線器具が３個取り付けることができる１連の取付枠４（図４参照）に対応して規格化されており、図３に示すように上部から配線盤１または他のスイッチボックス２から送り配線されてくる電力線Ｌ１及び情報線Ｌ２を導入するとともに、下部からは他のスイッチボックス２へ送り配線するための電力線Ｌ１及び情報線Ｌ２を導出している。そして各スイッチボックス２には基本機能モジュール８を接続するゲート装置３のボディを夫々取付枠４により取り付けてある。
【００１８】
この取付枠４は図４に示すように中央に器具取り付け用の窓孔４ａを設けてあって、この窓孔４ａに取り付け対象の器具本体の前部を背方から嵌め、左右両側の枠片に設けた係止手段に器具本体の両側に設けた被係止部を係止させて器具本体を固定するようになっている。そして上下枠片に設けた取付孔４ｂに挿通する取り付けねじ（図示せず）をスイッチボックス２のねじ孔（図示せず）に締結することで、器具本体ごとスイッチボックス２に取り付けられる。またスイッチボックス２を用いず、埋め込み孔を開口した壁パネルに取り付ける場合には所謂挟み金具で壁パネルを挟持させて取り付けたり、木ねじを用いて取り付けることもできるようになっている。
【００１９】
ゲート装置３は図５に示すようにボディ背面部に速結端子構造の接続端子部５ａ，５ｂ及び送り配線用の接続端子部５ａ’、５ｂ’を設け、夫々に対応する電力線Ｌ１、情報線Ｌ２を接続するようになっている。またボディ前面部には、送られてきた電力線Ｌ１と電気的に接続されている接触部を備えた電力路接続口６Ａと、送られてきた情報線Ｌ２と電気的に接続されている情報路接続口６Ｂとを有しモジュール化した接続口６を図４に示すように備えている。
【００２０】
これら接続口６Ａ，６Ｂは両者間の間隔及び内部の接触部の配列、開口部の形状等がシステムとして規格化されており、このゲート装置３のボディ前面部を覆うようにスイッチボックス２の前面開口側に取り付ける図６に示す基本機能モジュール８の背面部に設けたコネクタ７の被接続部７Ａ、７Ｂが各接続口６Ａ，６Ｂに着脱自在に結合されるようになっている。
【００２１】
また、図９に示すようにゲート装置３は、接続端子部５ａを介して供給される商用電源ＡＣを安定した直流電圧からなる内部回路の動作電源＋Ｖに変換するＡＣ／ＤＣコンバータ１８と、接続端子部５ｂを介して接続される情報線Ｌ２を通じて双方向に伝送される情報信号を送受信する通信伝送部１９と、自己の識別情報（ＩＤ情報等）を予め格納した装置情報記憶部Ｍ１とを内部に備える。
【００２２】
基本機能モジュール８は、後述する拡張機能モジュール１０とで機能モジュールを構成するもので、図６，図７（ａ）に示す合成樹脂製（ＡＢＳ等の非結晶性汎用プラスチック）で扁平なモジュール本体８Ａ内に図９に示す回路を内蔵しているもので、背面部のコネクタ７の被接続部７Ａ，７Ｂをゲート装置３の接続口６Ａ，６Ｂに結合させることで、スイッチボックス２の前面開口を覆うとともに、周部のフランジをスイッチボックス２の前面開口周辺の壁面に重ねた状態となり、その状態で上、下部の中央に穿孔している取付孔８０に取り付けねじ（図示せず）を前面部側から挿通させて取付枠４の上下枠に設けたねじ孔４ｃに螺入締結することでスイッチボックス２に取付枠４を介して取り付けられる。
【００２３】
またモジュール本体８Ａの前面部には、上、下の取付孔８０の開口位置より上または下側位置において、図７（ａ）に示すようにモジュール本体８Ａの幅方向に幅広溝８１ａと幅狭溝８１ｂとからなる連結用溝部８１を中央の仕切壁８２で左右に二分されるように形成している。
【００２４】
この仕切壁８２の左側または右側の連結用溝部８１には図７（ｂ）に示す合成樹脂製の連結体１００の片側半分を仕切壁８２に当たる位置まで嵌め込み、この連結体１００の残り半分を図８に示すように拡張機能モジュール１０側に同様に設けてある連結用溝部８１に嵌め込むことで、基本機能モジュール８と拡張機能モジュール１０とを機械的に結合できるようになっている。連結体１００は背面に幅広溝８１ａ，幅狭溝８１ｂを仕切る仕切壁８１ｃが嵌る溝１００ａを設け、両溝８１ａ、８１ｂに跨るように挿入される。そして基本機能モジュール８では前面部側から化粧カバー８Ｂを着脱自在に被着することで、また拡張機能モジュール１０では蓋部８３を閉じることで、両者の連結用溝部８１に跨るように嵌め込んである連結体１００が脱落しないように保持して連結状態を維持するようになっている。而して連結体１００と連結用溝部８１とが基本機能モジュール８と拡張機能モジュール１０との連結手段を構成する。
【００２５】
本配線システムでは、複数の種類の基本機能モジュール８が準備されており、基本機能モジュール８は、図９に示すように、被接続部７Ａを介して供給される商用電源ＡＣを安定した直流電圧からなる内部回路の動作電源＋Ｖに変換するＡＣ／ＤＣコンバータ２１と、被接続部７Ｂを介して接続される情報線Ｌ２を通じて双方向に伝送される情報信号を送受信する通信伝送部２２と、被接続部７Ａを介して商用電源ＡＣに接続される電源用コネクタ９Ａ，９Ａ’と、通信伝送部２２、被接続部７Ｂを介して情報線Ｌ２に接続される情報用コネクタ９Ｂ，９Ｂ’とを基本的に備える。そして、内部で情報信号を取り出したり、情報信号を送信する必要がある場合には、通信伝送部２２で受信される情報信号からデータを取り込んで処理を行うとともに、当該基本機能モジュール８から情報信号を送る場合の情報生成処理を行う演算処理部２３と、Ｉ／Ｏインターフェース２４を介して演算処理部２３との間でデータの授受を行って動作する機能部２５と、自モジュールの識別情報（ＩＤ情報等）を予め格納したモジュール情報記憶部Ｍ２とを備える。これら各部は動作電源＋Ｖを前記のＡＣ／ＤＣコンバータ２１から供給される。上記機能部２５の構成が基本機能モジュール８によって異なるのである。
【００２６】
基本機能モジュール８のモジュール本体８Ａの両側側面の一方側は雄型の電源用コネクタ９Ａ、情報用コネクタ９Ｂを、他方側には雌型の電源用コネクタ９Ａ’、情報用コネクタ９Ｂ’を設けている。そして、これら電源用コネクタ９Ａ，９Ａ’の接触片に被接続部７Ａの接触片を内部で接続することで、左右何れの方向に拡張機能モジュール１０が連結されても商用電源ＡＣを供給することができるようにしている。さらに、情報用コネクタ９Ｂ，９Ｂ’の接触片に通信伝送部２２の入出力を接続することで、左右何れの方向に拡張機能モジュール１０が連結されても情報信号の授受を行えるようにしている。なお、上記電源用コネクタ９Ａ，９Ａ’は、モジュール本体８Ａの両側側面において一端側に偏倚して配置され、上記情報用コネクタ９Ｂ，９Ｂ’は、モジュール本体８Ａの両側側面において他端側に偏倚して配置される。
【００２７】
これら電源用コネクタ９Ａ，９Ａ’、情報用コネクタ９Ｂ，９Ｂ’は、内部の接触部の配列、開口部の形状等がシステムとして規格化され、さらには同一面に配置された電源用コネクタと情報用コネクタとの間隔もシステムとして規格化されており、拡張機能モジュール１０の後述する電源用コネクタ１１Ａ，１１Ａ’、情報用コネクタ１１Ｂ，１１Ｂ’が着脱自在に結合されるようになっている。
【００２８】
次に、本配線システムでは、複数の種類の拡張機能モジュール１０が準備されており、拡張機能モジュール１０は図１０に示すように、電源用コネクタ１１Ａ，１１Ａ’と、情報用コネクタ１１Ｂ，１１Ｂ’と、電源用コネクタ１１Ａ，１１Ａ’いずれか一方を介して供給される商用電源ＡＣを、安定した直流電圧からなる内部回路の動作電源＋Ｖに変換するＡＣ／ＤＣコンバータ３１と、情報用コネクタ１１Ｂ，１１Ｂ’を介して双方向に伝送される情報信号を送受信する通信伝送部３２とを基本的に備える。そして、内部で情報信号を取り出したり、情報信号を送信する必要がある場合には、通信伝送部３２で受信される情報信号からデータを取り込んで処理を行うとともに、当該拡張機能モジュール１０から情報信号を送る場合の情報生成処理を行う演算処理部３３と、Ｉ／Ｏインターフェース３４を介して演算処理部３３との間でデータの授受を行って動作する機能部３５と、自モジュールの識別情報（ＩＤ情報等）を予め格納したモジュール情報記憶部Ｍ３とを備える。これら各部は動作電源＋Ｖを前記のＡＣ／ＤＣコンバータ３１から供給される。上記機能部３５の構成が拡張機能モジュール１０によって異なるのである。
【００２９】
そして、拡張機能モジュール１０は、基本的には図１１（ａ）に示すようにモジュール本体１０Ａの高さ寸法を基本機能モジュール８と同じ高さ寸法に規格化され、また横幅寸法も規格化された単位モジュール寸法の整数倍に規格化されている。
【００３０】
また、合成樹脂製（ＡＢＳ等の非結晶性汎用プラスチック）で扁平なモジュール本体１０Ａの両側側面の一方側は雄型の電源用コネクタ１１Ａ、情報用コネクタ１１Ｂを、他方側には雌型の電源用コネクタ１１Ａ’、情報用コネクタ１１Ｂ’を設けている。上記電源用コネクタ１１Ａ，１１Ａ’は、モジュール本体１０Ａの両側側面において一端側に偏倚して配置され、上記情報用コネクタ１１Ｂ，１１Ｂ’は、モジュール本体１０Ａの両側側面において他端側に偏倚して配置される。これら電源用コネクタ１１Ａ，１１Ａ’、情報用コネクタ１１Ｂ，１１Ｂ’は、基本機能モジュール８の電源用コネクタ９Ａ，９Ａ’、情報用コネクタ９Ｂ，９Ｂ’と同様に、内部の接触部の配列、開口部の形状等がシステムとして規格化され、さらには同一面に配置された電源用コネクタと情報用コネクタとの間隔もシステムとして規格化されており、基本機能モジュール８の電源用コネクタ９Ａ，９Ａ’、情報用コネクタ９Ｂ，９Ｂ’、あるいは他の拡張機能モジュール１０の電源用コネクタ１１Ａ，１１Ａ’、情報用コネクタ１１Ｂ，１１Ｂ’が着脱自在に結合されるようになっている。
【００３１】
具体的には、雄型の電源用コネクタ１１Ａ、情報用コネクタ１１Ｂは、基本機能モジュール８の雌型の電源用コネクタ９Ａ’、情報用コネクタ９Ｂ’、あるいは他の拡張機能モジュール１０の雌型の電源用コネクタ１１Ａ’、情報用コネクタ１１Ｂ’に接続し、雌型の電源用コネクタ１１Ａ’、情報用コネクタ１１Ｂ’は、基本機能モジュール８の雄型の電源用コネクタ９Ａ、情報用コネクタ９Ｂ、あるいは他の拡張機能モジュール１０の雄型の電源用コネクタ１１Ａ、情報用コネクタ１１Ｂに接続する。
【００３２】
そして、モジュール本体１０Ａ内ではこれら電源用コネクタ１１Ａ，１１Ａ’の接触片を互いに接続しており、片側の電源用コネクタが隣接する基本機能モジュール８または拡張機能モジュール１０の電源用コネクタに嵌合して電力を受け取る側となると、他方の電源用コネクタが電力供給側となる。
【００３３】
さらに、情報用コネクタ１１Ｂ，１１Ｂ’の接触片に通信伝送部３２の入出力を接続することで、左右何れの方向に基本機能モジュール８や、他の拡張機能モジュール１０が連結されても情報信号の授受を行えるようにしており、両側に隣接する基本機能モジュール８または拡張機能モジュール１０との間で情報信号を授受できるようになっている。
【００３４】
また、拡張機能モジュール１０のモジュール本体１０Ａの形状は、背面を図１１（ｂ）、（ｃ）に示すように平坦な面に形成して壁面に沿わせることができるようにしている。そして上下位置には上述の連結体１００を基本機能モジュール８と同様に挿入するための幅広溝８１ａ、幅狭溝８１ｂからなる連結用溝部８１を設けるとともに、この連結用溝部８１を開閉する蓋部８３を設け、連結体１００を装着する際や外す場合にはこの蓋部８３を開き、連結体１００の装着状態を保持する際には上述したように閉じるようになっている（図１１（ｃ）参照）。
【００３５】
図１は、ゲート装置３、基本機能モジュール８、拡張機能モジュール１０で構成される上記配線システムを用いた電気機器監視システムの構成を示し、図２は各機能モジュールの配設状態を示す。以下、この電気機器監視システムについて説明する。
【００３６】
まず、電力線Ｌ１，情報線Ｌ２は住宅やビル等の建物内の壁面内に先行配線されて各ゲート装置３に配線されており、室内のミドルポジションＭＰに設けられたゲート装置３には、各機能モジュールの監視動作を行う基本機能モジュール８ａ（以後、監視モジュール８ａと称す）、照明器具をオン／オフする壁スイッチを構成する基本機能モジュール８ｂ（以後、壁スイッチモジュール８ｂと称す）が接続される。
【００３７】
さらに、室内のハイポジションＨＰに設けられたゲート装置３には、照明器具の引掛プラグに対応した引掛栓刃接続部２６を有する引掛シーリングローゼット型の基本機能モジュール８ｃ（以後、引掛栓刃モジュール８ｃと称す）、後述する施錠確認センサを具備した電気錠１３０との間で無線信号を用いてデータ通信を行う基本機能モジュール８ｄ（以後、無線通信モジュール８ｄと称す）が接続され、引掛栓刃モジュール８ｃには照明器具（図示なし）を接続する。
【００３８】
さらに、室内のローポジションＬＰに設けられたゲート装置３には、電源プラグ用の栓刃接続部２８を有する基本機能モジュール８ｅ（以後、コンセントモジュール８ｅと称す）、床面に露出する栓刃接続部２８を有する基本機能モジュール８ｆ（以後、床コンセントモジュール８ｆと称す）が接続され、コンセントモジュール８ｅ、床コンセントモジュール８ｆには、テレビ等の電気機器が接続される。
【００３９】
監視モジュール８ａの機能部２５は、図１２に示すように、監視制御部２５０ａ、一斉確認スイッチ２５０ｂ、確認信号送信部２５０ｃ、表示部２５０ｄ、配置図記憶部２５０ｅ、接続検知部２５０ｆで構成され、監視制御部２５０ａが情報線Ｌ２を介して他の機能モジュールとの間で情報信号の授受を行う。確認信号送信部２５０ｃ、表示部２５０ｄ、配置図記憶部２５０ｅ、接続検知部２５０ｆの各動作は監視制御部２５０ａによって制御されている。化粧カバー８Ｂの前面には表示部２５０ｄの液晶画面、一斉確認スイッチ２５０ｂの操作部を露出させている。
【００４０】
壁スイッチモジュール８ｂの機能部２５は、図１３に示すように操作スイッチ２５１ａと、操作スイッチ２５１ａの操作データを生成して送るデータ生成機能を有するＣＰＵ部２５１ｂとで構成され、化粧カバー８Ｂの前面に操作スイッチ２５１ａの操作部を露出させている。
【００４１】
引掛栓刃モジュール８ｃは、図１４に示すように、電源用コネクタ７Ａ−電源用コネクタ９Ａ，９Ａ´間から引き出された電源ラインを接続した引掛栓刃接続部２６と、引掛栓刃接続部２６を流れる電流値を検知する電流検知部２７とを備え、化粧カバー８Ｂの前面には引掛栓刃接続部２６を露出させている。そして、機能部２５は図１５に示すように、電流検知部２７で検知した電流値が所定電流以上であれば照明器具が点灯していると判断して点灯検知信号を生成し、検知した電流値が所定電流以下であれば照明器具が消灯していると判断して消灯検知信号を生成する作動検知部２５２ａを備える。
【００４２】
無線通信モジュール８ｄの機能部２５は、図１６に示すように、アンテナ２５３ａを介して無線信号を送受信する無線通信部２５３ｂと、情報線Ｌ２から入力された情報信号を無線通信部２５３ｂから無線信号により送信させるとともに、無線通信部２５３ｂが受信した情報信号を情報線Ｌ２に出力させる通信制御部２５３ｃとで構成される。
【００４３】
コンセントモジュール８ｅは、図１７に示すように、電源用コネクタ７Ａ−電源用コネクタ９Ａ，９Ａ´間から引き出された電源ラインを接続した栓刃接続部２８と、栓刃接続部２８を流れる電流値を検知する電流検知部２９とを備え、化粧カバー８Ｂの前面には栓刃接続部２８を露出させている。そして、機能部２５は図１８に示すように、検知した電流値が所定電流以上であれば、接続したテレビ等の電気機器が動作していると判断して動作検知信号を生成し、検知した電流値が所定電流以下であれば電気機器が停止していると判断して停止検知信号を生成する作動検知部２５４ａを備える。
【００４４】
床コンセントモジュール８ｆも、コンセントモジュール８ｅと同様に図１７、図１８に示す構成を備える。
【００４５】
そして、監視モジュール８ａの確認信号送信部２５０ｃは一定間隔でゲート装置３を介して情報線Ｌ２へ確認信号を送信しており、確認信号を受信した引掛栓刃モジュール８ｃは、通電電流から照明器具の点灯／消灯状態を検知し、点灯／消灯検知信号を、Ｉ／Ｏインターフェース２４、演算処理部２３、通信伝送部２２を介して監視モジュール８ａへ送信する。
【００４６】
また、確認信号を受信した無線通信モジュール８ｄは、窓Ｗに取り付けられた電気錠１３０に対して施錠確認信号を無線で送信し、電気錠１３０は、現在の施錠状態（施錠または開錠）を無線通信モジュール８ｄへ無線で送信する。無線通信モジュール８ｄは、受信した施錠状態に応じて、施錠／開錠検知信号を、Ｉ／Ｏインターフェース２４、演算処理部２３、通信伝送部２２を介して監視モジュール８ａへ送信する。
【００４７】
また、確認信号を受信したコンセントモジュール８ｅ、床コンセントモジュール８ｆは、通電電流から接続した電気機器の動作／停止状態を検知し、動作／停止検知信号を、Ｉ／Ｏインターフェース２４、演算処理部２３、通信伝送部２２を介して監視モジュール８ａへ送信する。
【００４８】
また、監視モジュール８ａにおいて一斉確認スイッチ２５０ｄを操作すると、監視制御部２５０ａは、ゲート装置３を介して情報線Ｌ２に接続されているすべての機能モジュールに対して確認信号を送信し、監視対象となる全ての機能モジュールの最新の監視結果が送信される。
【００４９】
監視モジュール８ａは、本電気機器監視システムの監視対象領域の各ゲート装置３に接続された機能モジュールの配置図を配置図記憶部２５０ｅに格納しており、例えば図１９に示す２次元の部屋の見取り図において、各ゲート装置３が配置されている位置に、各ゲート装置３に接続されている機能モジュールを配置し、引掛栓刃モジュール８ｃは「照明」、無線通信モジュール８ｄは「窓」、コンセントモジュール８ｅは「コンセント」、床コンセントモジュール８ｆは「床コンセント」と表示する。
【００５０】
そして、監視制御部２５０ａは、図１９に示す配置図を表示部２５０ｄに表示し、各機能モジュールからゲート装置３を介して送信された上記点灯／消灯検知信号、施錠／開錠検知信号、動作／停止検知信号に基づいて、各機能モジュールの表示を点滅させたり、あるいは表示色を変化させることで、各機能モジュールの作動状態（引掛栓刃モジュール８ｃ、コンセントモジュール８ｅ、床コンセントモジュール８ｆの給電状態）や、各機能モジュールに関連付けられた機器の作動状態（電気錠１３０の施錠状態）を識別可能に表示し、本電気機器監視システムの監視結果を把握しやすいものとしている。
【００５１】
次に、上記配置図記憶部２５０ｅに格納する配置図の生成方法について説明する。まず、ゲート装置３は、自己を識別するための装置情報（ＩＤ情報等）を格納した情報記憶部Ｍ１を備え、基本機能モジュール８、拡張機能モジュール１０は、自モジュールを識別するためのモジュール情報（ＩＤ情報等）を格納した情報記憶部Ｍ２、Ｍ３を各々備えている。そして、ゲート装置３に接続された基本機能モジュール８や、基本機能モジュール８に接続された拡張機能モジュール１０は、通信伝送部２２，３２を介して、自モジュールを接続しているゲート装置３に各モジュール情報を送信する。ゲート装置３は、情報記憶部Ｍ１に格納している装置情報を機能モジュール８，１０から受信したモジュール情報に付加し、通信伝送部１９を介して監視モジュール８ａへ送信する。
【００５２】
監視モジュール８ａの配置図記憶部２５０ｅには、各ゲート装置３の位置と当該ゲート装置３の装置情報とが対応して予め格納されており、ゲート装置３、機能モジュール８，１０から送信された装置情報、モジュール情報を受信した監視モジュール８ａでは、接続検知部２５０ｆが、装置情報およびモジュール情報から、各ゲート装置３に接続された機能モジュールを認識し、各ゲート装置３の位置に接続された機能モジュールを表示する。このように、新しい機能モジュールを接続した場合でも、自動で配置図に反映されるので、ユーザにとっては使い勝手がよいものとなる。また、図１９に示す配置図は２次元で作成しているが、３次元の配置図を作成、表示してもよい。
【００５３】
そして、監視モジュール８ａの表示部２５０ｄを見ることで、照明の点灯状態、電気機器の使用状態や、窓の施錠状態等のセキュリティ状況を監視でき、省エネルギー、防犯等に効果を発する。
【００５４】
このように、本実施形態では、引掛栓刃モジュール８ｃと照明器具、コンセントモジュール８ｅ，８ｆとテレビ等の電気機器とで１つの監視対象の電気機器を構成しており、この電気機器をゲート装置３に接続するだけで、面倒な配線作業を行うことなく電気機器の電力路と情報路とを容易に確保して、電気機器の作動状態が簡単に監視できるので、施工性に優れたものとなる。また、宅内に先行配線されている電力線Ｌ１、情報線Ｌ２に接続されたゲート装置３は宅内の至るところに配置されており、電気機器の設置場所の移動、追加時には、いずれかのゲート装置３に電気機器を接続するだけでよく、システムの柔軟性、拡張性にも優れている。
【００５５】
すなわち、本電気機器監視システムでは、宅内の各部屋単位で至るところに備え付けられているゲート装置３に電気機器を接続することで、全ての電気機器の作動状態が簡単に監視できるのである。
【００５６】
基本機能モジュール８、拡張機能モジュール１０としては上記以外に、空調機器用コンセント、空調機器の運転操作器や、空調機器の温度設定器や、電力供給を利用した電気カミソリ、電動歯ブラシ、携帯オーディオプレーヤ等の充電器、監視カメラ等で撮像した映像の伝送機能やモニタ機能を有するインターホンの親機，子機、火災センサ、人感センサ等があり、上記同様に監視モジュール８ａで各作動状態を監視することができる。
【００５７】
また、上記監視モジュール８ａ、壁スイッチモジュール８ｂ、引掛栓刃モジュール８ｃ、無線通信モジュール８ｄ、コンセントモジュール８ｅ、床コンセントモジュール８ｆを拡張機能モジュール１０で構成してもよく、監視機能モジュールを複数台設置してもよい。
【００５８】
また、ゲート装置３、基本機能モジュール８、拡張機能モジュール１０がコネクタの代わりにコアにコイルを巻回した構成を各々備えて、互いのコアが磁気結合することで相手側のコイルに低圧交流電源電圧を誘起させて電源供給を行い、さらには情報信号をＥ／Ｏ変換を経て送り出し、情報信号をＯ／Ｅ変換を経て取り込むことで、光信号からなる情報信号を発光素子、受光素子を用いて非接触で双方向に伝送すれば、ゲート装置３、基本機能モジュール８、拡張機能モジュール１０間の電力、情報信号の授受を非接触で行うことができる。
【００５９】
また、システム全体の情報信号の伝送方式を電力線搬送方式で行えば、電力路と情報路との共通化を図ることができる。
【００６０】
なお、上記機能モジュールを用いる電気機器監視システムの情報信号の伝送方式としては、ベースバンド伝送またはブロードバンド伝送の何れを採用しても良く、またプロトコルも何れでも良く、特に限定されるものではないので、説明は省略する。またゲート装置３間の使用プロトコルと、ゲート装置３に連なる機能モジュール８，１０での使用プロトコルを異ならせ、例えばゲート装置３でプロトコル変換を行うようにしても良い。
【００６１】
また、本電気機器監視システムにおいては、例えば図３に示すように、基本機能モジュール８をゲート装置３に接続し、基本機能モジュール８の右側部にはある機能を有する拡張機能モジュール１０を接続し、この拡張機能モジュール１０の右側部には異なる機能を有する拡張機能モジュール１０を接続することができ、したがって、予め同一に配線されている電力線Ｌ１、情報線Ｌ２にゲート装置３、基本機能モジュール８、拡張機能モジュール１０を接続することで、各機能モジュールは電力路と情報路とを同時に確保でき、新たに配線工事を行う必要がなく、施工性に優れている。また、各機能モジュールは互いに同一の情報線Ｌ２を用いることで、他の機能モジュールとの間の連動制御を容易に行なうことができ、拡張性に優れたものとなる。
【００６２】
而して基本機能モジュール８を使用するに当たっては、まず、ゲート装置３を予め建物の適所の壁面に埋設してあるスイッチボックス２に取付枠４を介して取り付け、先行配線されている電力線Ｌ１，情報線Ｌ２の接続を行う。その後、ゲート装置３の前面部に設けられた電線路接続口６Ａ，６Ｂに対して基本機能モジュール８のコネクタ７の対応する被接続部７Ａ，７Ｂを接続するとともに、基本機能モジュール８をゲート装置３の前面部を覆うように取付枠４に取り付ける。この基本機能モジュール８はこの取り付けた状態において壁面よりも前面部が突出し、両側面が室内側に露出することになる。
【００６３】
そして、拡張機能モジュール１０は基本機能モジュール８の露出した両側側面の一方に片側の側面を面接させてコネクタ接続し、この状態で連結体１００を用いて拡張機能モジュール１０と基本機能モジュール８とを機械的に連結する。これによって基本機能モジュール８と拡張機能モジュール１０とで機能モジュールが構成されることになる。このとき拡張機能モジュール１０の背面はスイッチボックス２の側方の壁面に沿うことになり、例えば壁面にクロス貼り等が施されている場合、拡張機能モジュール１０の背面の位置が多少のずれていてもそれを吸収して背面を壁部に密接させた状態に配設することができ、拡張機能モジュール１０の前面部から操作力等が加わっても連結部位に加わる荷重を軽減することができる。
【００６４】
さらに先に連結した拡張機能モジュール１０に別の拡張機能モジュール１０を連結する場合には、対向側面を面接させてコネクタ接続した状態で連結体１００により互いに機械的に連結する。このようにして図３に示すように順次拡張機能モジュール１０を側方に連結することができる。
【００６５】
なお、基本機能モジュール８は両側に拡張機能モジュール１０を連結することができるため、基本機能モジュール８の両側方向に拡張機能モジュール１０を連結しても良い。このようにして拡張機能モジュール１０を連結した後、両端に位置する拡張機能モジュール１０または基本機能モジュール８の連結部位の側部に着脱自在にエンドカバー１０１を被着することで、拡張機能モジュール１０の連結施工が完了することになる。なお、基本機能モジュール８に拡張機能モジュール９を連結しない状態、つまり未使用のまま置いておく場合にはエンドカバー１０１を基本機能モジュール８の両側部に被着する。
【００６６】
以上のようにして配設施工が終了し、システムが完成した後は、対応する基本機能モジュール８、拡張機能モジュール１０間で情報信号の授受を行う。
【００６７】
また、本実施形態では拡張機能モジュール１０や基本機能モジュール８の追加や削除に特別な施工が不要となり、そのため一般ユーザの好みに合わせて拡張機能モジュール１０を基本機能モジュール８に連結するだけで、拡張性が確保される。
【００６８】
なお、本実施形態に用いるゲート装置３は取付枠４でスイッチボックス２に取り付けているが、スイッチボックス２の奥壁に直接取り付け、基本機能モジュール８をスイッチボックス２に取り付ける構成としても勿論良い。
【００６９】
なお、本電気機器監視システムは、住宅だけでなく、ビル等の非住宅でも適用可能である。
【図面の簡単な説明】
【００７０】
【図１】実施形態の電気機器監視システムの構成図である。
【図２】同上のシステムの配設状態を示す斜視図である。
【図３】同上の機能モジュールの配設状態を示す斜視図である。
【図４】同上のゲート装置を取付枠に取り付けた状態の正面図である。
【図５】同上のゲート装置への配線形態を示す斜視図である。
【図６】同上の基本機能モジュールをスイッチボックスから外した状態の斜視図である。
【図７】（ａ）は同上の基本機能モジュールの化粧カバーを外した状態の斜視図、（ｂ）は連結体の斜視図である。
【図８】同上の基本機能モジュールと拡張モジュールとの連結構成の説明図である。
【図９】同上のゲート装置、基本機能モジュールの回路構成図である。
【図１０】同上の拡張機能モジュールの回路構成図である。
【図１１】同上の拡張機能モジュールを示し、（ａ）は正面図、（ｂ）は側面図、（ｃ）は蓋部を開き、連結体を外した状態の側面図である。
【図１２】同上の監視モジュールの機能部の回路構成図である。
【図１３】同上の壁スイッチモジュールの機能部の回路構成図である。
【図１４】同上の引掛栓刃モジュールの回路構成図である。
【図１５】同上の引掛栓刃モジュールの機能部の回路構成図である。
【図１６】同上の無線通信モジュールの機能部の回路構成図である。
【図１７】同上のコンセントモジュールの回路構成図である。
【図１８】同上のコンセントモジュールの機能部の回路構成図である。
【図１９】同上の監視モジュールで表示される配置図である。
【符号の説明】
【００７１】
Ｌ１  電力線
Ｌ２  情報線
３  ゲート装置
８ａ  監視モジュール
８ｂ〜８ｆ  基本機能モジュール
１０  拡張機能モジュール
【図１】
2007265047.tif 000003
【図２】
2007265047.tif 000004
【図３】
2007265047.tif 000005
【図４】
2007265047.tif 000006
【図５】
2007265047.tif 000007
【図６】
2007265047.tif 000008
【図７】
2007265047.tif 000009
【図８】
2007265047.tif 000010
【図９】
2007265047.tif 000011
【図１０】
2007265047.tif 000012
【図１１】
2007265047.tif 000013
【図１２】
2007265047.tif 000014
【図１３】
2007265047.tif 000015
【図１４】
2007265047.tif 000016
【図１５】
2007265047.tif 000017
【図１６】
2007265047.tif 000018
【図１７】
2007265047.tif 000019
【図１８】
2007265047.tif 000020
【図１９】
2007265047.tif 000021